(57)【要約】【課題】  支持杆への吊掛杆の着脱作業がワンタッチで簡単容易にかつ迅速に行え、コスト安価で部品管理の容易な吊掛具を得ること。【解決手段】  支持杆１１として一側部に扁平面１１ａをもつ断面円形状の棒状部材を用いる。吊掛杆１２が吊掛軸部１３と、吊掛軸部１３に設けられる取付ボス部１６とを備え、取付ボス部１６に平面視Ｃ字状の支持杆差込用のスリット１６ａを形成する。スリット１６ａはその奥部が支持杆１１の直径Ｄと同径の孔形状で、奥孔部１６ｂから開放端１６ｃまで続くスリット先端部分の開口幅寸法Ｘが支持杆１１の直径Ｄよりも小さく、支持杆１１の扁平面中央からの垂線部分の厚みｄよりも大きい寸法とする。支持杆１１の扁平面に取付ボス部１６のスリット一側面を沿わせた状態で取付ボス部１６を支持杆１１に差し込み回転させることにより支持杆１１がスリット１６ａを強制的に押し広げてその反発力により取付ボス部１６を支持杆１１に固着するように構成した。【選択図】  図４
0003118520.tif 000002
【実用新案登録請求の範囲】
【請求項１】
支持部材２に固定される支持杆１１と、支持杆１１に着脱自在に取り付けられる吊掛杆１２とを備えた吊掛具であって、支持杆１１が一側部に扁平面１１ａをもつ断面円形状の棒状部材からなる一方、吊掛杆１２が吊掛軸部１３と吊掛軸部１３の基部側に設けられる取付ボス部１６とを備え、取付ボス部１６が平面視Ｃ字状を呈する支持杆差込用のスリット１６ａを有すると共に、スリット１６ａはその奥部が支持杆１１の直径Ｄとほぼ同径の孔形状で、この奥孔部１６ｂから開放端１６ｃまで続くスリット先端部分の開口幅寸法Ｘを支持杆１１の直径Ｄよりも小さく、かつ支持杆１１の扁平面中央からの垂線部分の厚みｄよりも大きい寸法に設定して、支持杆１１の扁平面１１ａに取付ボス部１６のスリット一側面を沿わせた状態で取付ボス部１６の支持杆１１への差し込みを許すと共に、その差し込み状態で取付ボス部１６を回転させることにより支持杆１１が取付ボス部１６のスリット１６ａを強制的に押し広げてその弾発力により取付ボス部１６を支持杆１１に固着するように構成したことを特徴とする吊掛具。
【考案の詳細な説明】
【技術分野】
【０００１】  本考案は、主として展示用の吊掛具、詳しくは支持部材に固定される支持杆と、該支持杆に着脱可能に取り付けられる吊掛杆とを備えた吊掛具に関する。
【背景技術】
【０００２】  従来、この種の展示用の吊掛具としては、例えば図５及び図６に示すように展示用壁材（支持部材）２Ａに断面円形の金属製丸棒材からなる支持杆２１を適宜固定手段により固定する一方、支持杆２１の任意の位置に複数の引掛片２２と取付ボス部２３を備えた吊掛杆２４をネジ止めにより着脱可能に取り付けるように構成している。その場合、吊掛杆２４の取付ボス部２３には平面視Ｌ字状の支持杆差込用の挿入溝２３ａと、差し込まれた支持杆に固定するための締付用ネジ２５とを有している。【０００３】  そして、例えば靴下等の商品を吊下状に展示するため、支持杆２１の任意の位置に吊掛杆２４を取り付ける際には、図６に示すように吊掛杆２４の取付ボス部２３における挿入溝２３の奥部に支持杆２１を差し込み、締付用ネジ２５で支持杆２１を挿入溝２３の奥部側に締め付けることにより吊掛杆２４を支持杆２１に固着するようになされている。また、吊掛杆２４が不要となり、支持杆２４から吊掛杆２４を取り外す際には、締付用ネジ２５を緩め、支持杆２１から吊掛杆２４の取付ボス部２３を挿入溝２３を介して取り外すようになされている。
【考案の開示】
【考案が解決しようとする課題】
【０００４】  ところが、上記した吊掛具によれば、ネジ締めによる固着であるから、支持杆２１に吊掛杆２４を取り付けたり取り外したりする場合、その都度締付用ネジ２５を締め付けて取り付けたり、或いはネジ２５を緩めて取り外したりする必要があり、その作業が非常に煩雑で手間を要する問題があった。【０００５】  また、固着手段として締付用ネジ２５を用いるため、部品点数が多くなるばかりか、取付ボス部２３に面倒なネジ切り工程を必要とし、コスト高で部品管理も面倒となる問題を有していた。【０００６】  そこで、本考案は支持杆への吊掛杆の着脱作業がワンタッチで簡単容易にかつ迅速に行え、その上、部品点数を減らし、コスト安価で部品管理の容易な吊掛具の提供を課題とする。
【課題を解決するための手段】
【０００７】  上記した問題を解決するために、本願の請求項１に記載の考案は、支持部材２に固定される支持杆１１と、支持杆１１に着脱自在に取り付けられる吊掛杆１２とを備えた吊掛具であって、支持杆１１が一側部に扁平面１１ａをもつ断面円形状の棒状部材からなる一方、吊掛杆１２が吊掛軸部１３と吊掛軸部１３の基部側に設けられる取付ボス部１６とを備え、取付ボス部１６が平面視Ｃ字状を呈する支持杆差込用のスリット１６ａを有すると共に、スリット１６ａはその奥部が支持杆１１の直径Ｄとほぼ同径の孔形状で、この奥孔部１６ｂから開放端１６ｃまで続くスリット先端部分の開口幅寸法Ｘを支持杆１１の直径Ｄよりも小さく、かつ支持杆１１の扁平面中央からの垂線部分の厚みｄよりも大きい寸法に設定して、支持杆１１の扁平面１１ａに取付ボス部１６のスリット一側面を沿わせた状態で取付ボス部１６の支持杆１１への差し込みを許すと共に、その差し込み状態で取付ボス部１６を回転させることにより支持杆１１が取付ボス部１６のスリット１６ａを強制的に押し広げてその弾発力により取付ボス部１６を支持杆１１に固着するように構成したことを特徴とする。
【考案の効果】
【０００８】  本考案の吊掛具によれば、例えば靴下等の商品を吊下状に展示するため、支持杆１１の任意の位置に吊掛杆１２を取り付ける際には、支持杆１１の扁平面１１ａを吊掛杆１２の取付ボス部１６におけるスリット１６ａの一側面に沿わせた状態で取付ボス部１６を支持杆１１に差し込んで取付ボス部１６を回転させるだけのワンタッチ操作により支持杆１１が取付ボス部１６のスリット１６ａを強制的に押し広げてその弾発力により取付ボス部１６を支持杆１１に固着することができる。また、吊掛杆２４が不要となり、支持杆１１から吊掛杆を取り外す際には、吊掛杆１２を支持杆１１を中心に回転させて、取付ボス部１６におけるスリット１６ａの一側面を支持杆１１の扁平面１１ａに沿わせ、その状態で吊掛杆１２を支持杆１１から引き抜くことによりワンタッチ操作で簡単容易にかつ迅速に取り外すことができる。その上、従来のように締付用ネジを必要としないので、部品点数を減らすことができて、コスト安価にできると共に部品管理も容易にできる。
【考案を実施するための最良の形態】
【０００９】  以下、本考案の実施の形態を図に基づいて説明する。
図１〜図４は本考案の展示用の吊掛具を示すもので、この吊掛具１は壁材（支持部材）２に固定ネジ３により固定される支持杆１１と、支持杆１１に着脱自在に取り付けられる吊掛杆１２とを備えている。【００１０】  そして、支持杆１１は図２に示すようにその一側部に扁平面１１ａをもつ断面円形状の金属製棒状部材からなり、また、吊掛杆１２は金属製で、複数の掛止片１３ａをもつ吊掛軸部１３と、吊掛軸部１３を上部に支持する縦軸部１４と、縦軸部１４の下部に横軸部１５を介して連結される取付ボス部１６とを備えている。取付ボス部１６は太鼓形状で、図２に示すように平面から視たときＣ字状を呈する支持杆１１の差込用スリット１６ａを有している。スリット１６ａはその奥部が支持杆１１の直径Ｄとほぼ同径の孔状で、この奥孔部１６ｂからスリット入口側まで続くスリット先端部の開口幅寸法Ｘを支持杆１１の直径Ｄよりも小さく、かつ支持杆１１の扁平面中央からの垂線部分の厚みｄよりも大きい寸法としている。このように、スリットの開口幅寸法Ｘを支持杆１１の最小厚みｄよりも小さくすることで、支持杆１１の扁平面１１ａにスリット１６ａの一側面を沿わせた状態で取付ボス部１６の支持杆１１への差し込みを許す一方、奥部は支持杆１１の直径とほぼ同径の孔形状に形成することにより、支持杆１１への取付ボス部１６の差し込み後、取付ボス部１６を支持杆１１に対し回転させることが可能となっている。そして、図４に示すようにスリット１６ａの開放端１６ｃと支持杆１１の扁平面１１ａとが一致するように９０度回転させることにより、スリット１６ａの開放端１６ｃ側を押し広げ、その拡開に伴う反力により取付ボス部１６、つまり吊掛杆１２を支持杆１１に固着するように構成している。【００１１】  次に、以上のように構成される吊掛具の作用を説明する。
例えば靴下等の商品（図示せず）を樹脂製の簡易フックを介して吊下状に展示するため、支持杆１１の任意の位置に吊掛杆１２を取り付ける際には、まず、図３の仮想線で示すように支持杆１１の扁平面１１ａに吊掛杆１２の取付ボス部１６におけるスリット１６ａの一側面を沿わせた状態のもとで、取付ボス部１６を支持杆１１に差し込む。これにより、図３の実線で示すように取付ボス部１６のスリット奥部に支持杆１１が差し込まれる。【００１２】  その差し込み後、その状態のまま取付ボス部１６を支持杆１１に対しほぼ９０度回転させる。つまり、図４に示すようにスリット１６ａの開放端１６ｃと支持杆の扁平面１１ａとが一致するように回転させる。このとき、支持杆１１の円形外周面がスリット１６ａの開放端１６ｃ側を拡開させることになり、そのため、スリット１６ａの開放端部の拡開に伴う反力により取付ボス部１６が、つまり吊掛杆１２が支持杆１１に固着されることになる。【００１３】  また、吊掛杆２４が不要となり、支持杆１１から吊掛杆１２を取り外す際には、吊掛杆１２を支持杆１１を中心に９０度回転させて、吊掛杆１２の取付ボス部１６におけるスリット１６ａの一側面を支持杆１１の扁平面１１ａに沿わせ、その状態で吊掛杆１２を支持杆１１から引き抜くことにより簡単容易にかつ迅速に取り外すことができる。【００１４】  以上のように、支持杆１１の扁平面１１ａを吊掛杆１２の取付ボス部１６におけるスリット１６ａの一側面に沿わせた状態で取付ボス部１６を支持杆１１に差し込んで取付ボス部１６を回転させるだけのワンタッチ操作により支持杆１１が取付ボス部１６のスリット１６ａを強制的に押し広げてその弾発力により取付ボス部１６を支持杆１１に固着することができる。また、支持杆１１から吊掛杆１２を取り外す際には、吊掛杆１２を支持杆１１を中心に回転させて、取付ボス部１６におけるスリット１６ａの一側面を支持杆１１の扁平面１１ａに沿わせ、その状態で吊掛杆１２を支持杆１１から引き抜くことによりワンタッチ操作で簡単容易にかつ迅速に取り外すことができる。その上、従来のように締め付けネジを必要としないので、部品点数を減らし、コスト安価で部品管理が容易にできる。【００１５】  以上の実施の形態では、支持杆１１及び吊掛杆１２の素材として金属製のものを用いた場合について説明したけれども、何ら金属製のものに限定されるものではなく、例えばプラスチックや木材など他の素材のものを用いてもよいことは勿論である。また、吊掛杆１２としては、複数の掛止片１３ａをもつ吊掛軸部１３と、吊掛軸部１３を上部に支持する縦軸部１４と、縦軸部１４の下部に横軸部１５を介して連結される取付ボス部１６とで構成したけれども、斯かる構造に限定されるものではなく、例えば水平状の吊掛軸部１３に直接取付ボス部１６を設けるだけの簡単な構造であってもよい。さらに、吊掛軸部１３に設ける掛止片１３ａは、吊り下げる商品に応じて適宜形状の突起や凹凸部を必要な数だけ設けるようにすればよいし、また、例えばマフラーやスカーフ等を吊り掛ける場合には吊掛軸部１３に掛止片１３ａや凹凸部を特に設けなくてもよい。
【図面の簡単な説明】
【００１６】
【図１】  本考案に係る吊掛具の使用状態を示す側面図である。
【図２】  支持杆と吊掛杆の平面図である。
【図３】  吊掛杆の支持杆への差し込み状態の説明図である。
【図４】  図１のア−ア線矢視図である。
【図５】  従来の説明図である。
【図６】  図５のイ−イ線矢視図である。
【符号の説明】
【００１７】１          吊掛具
２          支持部材
１１        支持杆
１１ａ      扁平面
１２        吊掛杆
１３        吊掛軸部
１６        取付ボス部
１６ａ      スリット
１６ｂ      奥孔部
１６ｃ      開放端
【図１】
0003118520.tif 000003
【図２】
0003118520.tif 000004
【図３】
0003118520.tif 000005
【図４】
0003118520.tif 000006
【図５】
0003118520.tif 000007
【図６】
0003118520.tif 000008